(57)【要約】【課題】視聴者が居る場合に限り視聴者に適切なノイズ抑制制御を行うテレビジョン装置の提供を目的とする。【解決手段】本発明のテレビジョン装置は、テレビジョン装置に設けられ、装置周辺の音を集音するマイク４，５と、マイク４，５が集音した音とテレビジョン装置から出力すべく装置内で処理される放送音声から、装置周辺のノイズ情報を検出するノイズ検出装置１６と、テレビジョン装置に設けられ、装置周辺を撮影するカメラ６と、カメラ６の映像から視聴者状況を検出する画像処理装置１７と、ノイズ情報と視聴者状況に基づいて、ノイズの抑制音を作成する制御手段１５と、ノイズの抑制音を放送音声に重畳させて出力するスピーカ２，３と、を備えることを特徴とする。【選択図】図３
2010268284.tif 000002
【特許請求の範囲】
【請求項１】
テレビジョン装置に設けられ、装置周辺の音を集音するマイクと、
前記マイクが集音した音と前記テレビジョン装置から出力すべく装置内で処理される放送音声から、装置周辺のノイズ情報を検出するノイズ検出装置と、
前記テレビジョン装置に設けられ、装置周辺を撮影するカメラと、
前記カメラの映像から視聴者状況を検出する画像処理装置と、
前記ノイズ情報と前記視聴者状況に基づいて、ノイズの抑制音を作成する制御手段と、
前記ノイズの抑制音を前記放送音声に重畳させて出力するスピーカと、を備えることを特徴とするテレビジョン装置。
【請求項２】
前記マイクは離間して２個以上備えられ、
前記ノイズ検出装置は、前記ノイズ情報として、装置周辺のノイズの到来方向を検出することを特徴とする、請求項１に記載のテレビジョン装置。
【請求項３】
前記ノイズ検出装置は、前記マイクで集音した音と放送音声の変化を学習する機能を備え、前記学習に基づき、前記ノイズ情報として、装置周辺のノイズの時間波形、周波数波形、レベル、到来方向を検出することを特徴とする、請求項２に記載のテレビジョン装置。
【請求項４】
前記画像処理装置は、前記視聴者状況として、予め定められたノイズ抑制範囲内の視聴者の有無と、視聴者と前記装置との距離と、視聴者が視聴しているか否かを検出することを特徴とする、請求項１〜３のいずれかに記載のテレビジョン装置。
【請求項５】
前記制御手段は、視聴者が前記ノイズ抑制範囲内で視聴しており、前記ノイズのレベルが第１の所定値以上である場合に、前記ノイズの抑制音を作成することを特徴とする、請求項４に記載のテレビジョン装置。
【請求項６】
前記第１の所定値は、前記スピーカから出力する前記放送音声の音量に応じて変化することを特徴とする、請求項５に記載のテレビジョン装置。
【請求項７】
前記制御手段は、前記ノイズのレベルが前記第１の所定値より大きい第２の所定値以上である場合に、前記スピーカから出力する前記放送音声の音量を増加させ、前記ノイズの抑制音を作成することを特徴とする、請求項５又は６に記載のテレビジョン装置。
【請求項８】
前記制御手段は、前記ノイズの抑制音及び前記放送音声の音量制御を漸次的に行うことを特徴とする、請求項１〜７のいずれかに記載のテレビジョン装置。
【請求項９】
前記スピーカは、前記重畳に代えて、前記放送音声とノイズの抑制音を分離して出力することを特徴とする、請求項１〜８のいずれかに記載のテレビジョン装置。
【発明の詳細な説明】
【技術分野】
【０００１】
この発明は、視聴時の周辺ノイズを抑制する機能を備えたテレビジョン装置に関する。
【背景技術】
【０００２】
従来のテレビジョン装置（以下、「テレビ」とも称する）では、周りの人の声や自動車の騒音などの周辺ノイズが大きくなった場合、視聴者はテレビの音を聞き逃すことがあった。そのため、視聴者は自身で音量を大きくする等の操作を行うことにより、周辺ノイズに対応する必要があった。
【０００３】
その点、特許文献１に開示された音声補正装置は、リモコンに内蔵したマイクが集音した音からノイズを検出し、ノイズに応じて音圧レベルを補正している。これにより、視聴者が自身で音量を操作する必要がなくなった。
【先行技術文献】
【特許文献】
【０００４】
【特許文献１】特開２００５−６２４７号公報
【発明の概要】
【発明が解決しようとする課題】
【０００５】
特許文献１に開示された音声補正装置は、リモコンに内蔵したマイクが集音した音からノイズを検出し、ノイズに応じて音圧レベルを補正している。しかし、リモコンの近くに視聴者がいることが前提となるため、視聴者がリモコンから離れて視聴している場合には、視聴者がさらされているノイズ状況を正確に把握できず、適切なノイズ抑制制御を行うことが出来ない。
【０００６】
また、視聴者がテレビを視聴しているか否かにかかわらず、周辺ノイズが検出される度に音圧レベルを補正するため、非効率的である。
【０００７】
そこで、本発明は上述の問題点に鑑み、視聴者が居る場合に限って視聴者に適切なノイズ抑制制御を行うテレビジョン装置の提供を目的とする。
【課題を解決するための手段】
【０００８】
本発明のテレビジョン装置は、テレビジョン装置に設けられ、装置周辺の音を集音するマイクと、マイクが集音した音とテレビジョン装置から出力すべく装置内で処理される放送音声から、装置周辺のノイズ情報を検出するノイズ検出装置と、テレビジョン装置に設けられ、装置周辺を撮影するカメラと、カメラの映像から視聴者状況を検出する画像処理装置と、ノイズ情報と視聴者状況に基づいて、ノイズの抑制音を作成する制御手段と、ノイズの抑制音を放送音声に重畳させて出力するスピーカと、を備えることを特徴とする。
【発明の効果】
【０００９】
本発明のテレビジョン装置は、テレビジョン装置に設けられ、装置周辺の音を集音するマイクと、マイクが集音した音とテレビジョン装置から出力すべく装置内で処理される放送音声から、装置周辺のノイズ情報を検出するノイズ検出装置と、テレビジョン装置に設けられ、装置周辺を撮影するカメラと、カメラの映像から視聴者状況を検出する画像処理装置と、ノイズ情報と視聴者状況に基づいて、ノイズの抑制音を作成する制御手段と、ノイズの抑制音を放送音声に重畳させて出力するスピーカと、を備えることを特徴とする。これにより、視聴者が居る場合に限って視聴者に適切なノイズ抑制制御を行う事が出来る。
【図面の簡単な説明】
【００１０】
【図１】実施の形態１のテレビジョン装置の平面図である。
【図２】実施の形態１のテレビジョン装置の動作時の概念図である。
【図３】実施の形態１のテレビジョン装置の構成を示すブロック図である。
【図４】実施の形態１のテレビジョン装置の動作を示すフローチャートである。
【発明を実施するための形態】
【００１１】
（実施の形態１）
＜構成＞
図１は、実施の形態１に係るテレビジョン装置（以下、「テレビ」とも称する）の平面図である。図１に示すように、テレビジョン装置は、筐体１と、スピーカ２，３と、ノイズ集音用のマイク４，５と、視聴者を撮影するためのカメラ６と、を内蔵している。
【００１２】
図３は、実施の形態１に係るテレビジョン装置の構成を示すブロック図である。図３に示すように、テレビジョン装置は、アンテナ１１からの放送波を受信するチューナ１２と、チューナ１２が受信した放送波から放送映像信号と放送音声信号を復調する復調装置１３と、復調装置１３が復調した放送音声信号を後段のＣＰＵ１５が処理可能なフォーマットに変換する音声処理装置１４と、ＣＰＵ１５と、マイク４，５が集音した音からノイズ情報を検出するノイズ検出装置１６と、カメラ６が撮影した映像から視聴者状況を検出する画像処理装置１７と、を備えている。
【００１３】
ノイズ検出装置１６が検出するノイズ情報とは、ノイズのレベル、周波数波形、時間波形、到来方向であり、画像処理装置１７が検出する視聴者状況とは、視聴者の有無、視聴者とテレビとの距離、視聴者がテレビを視聴しているか否か等である。
【００１４】
＜動作＞
図２は、実施の形態１のテレビジョン装置の動作時の概略図である。テレビジョン装置の前面の所定範囲が、予めノイズ抑制制御範囲１０として定められている。この範囲内に視聴者７が存在し、且つ周辺ノイズ９のレベルが規定値を超えていれば、周辺ノイズの抑制音をテレビの視聴音８（放送音声）に重畳させて、スピーカ２，３から出力する。これにより、視聴者７はノイズの抑制音が重畳された視聴音８を聞くため、周辺ノイズが大きくても自身でテレビの音量を操作する必要がなく、視聴音８を聞き続けることが出来る。
【００１５】
テレビジョン装置は、内蔵のマイク４，５が集音した装置周辺の音から、周辺ノイズ９のノイズ情報を検知するが、ノイズのレベルだけでなく到来方向も判別する。そのため、本実施の形態のテレビジョン装置では少なくともマイクを離間して２個以上備える必要がある。周辺ノイズ９の到来方向を検知することにより、視聴者７の耳元のノイズ状況を把握し、効果的に周辺ノイズ９を抑制する。
【００１６】
すなわち、実施の形態１のテレビジョン装置において、マイクは離間して２個以上備えられ、ノイズ検出装置１６は、ノイズ情報として、装置周辺のノイズの到来方向を検出する。ノイズの到来方向を検出することにより視聴者７周辺のノイズ状況を把握し、効果的なノイズ制御が可能となる。
【００１７】
具体的に、図３に沿ってテレビジョン装置の動作を説明する。チューナ１２がアンテナ１１を介してテレビ放送を受信すると、復調装置１３は受信信号から放送映像信号と放送音声信号を復調する。音声処理装置１４は、そのうち放送音声信号をＣＰＵ１５が処理可能なフォーマットに変換し、ＣＰＵ１５とノイズ検出装置１６に送る。
【００１８】
ノイズ検出装置１６は、音声処理装置１４からの放送音声信号を元に、マイク４，５が集音した音からノイズ成分を取り出す。ノイズ検出装置１６は、放送音声信号とマイク４，５が集音した音を学習し推測する機能を有するため、マイク４，５が集音した音からノイズ成分を取り出し、ノイズ情報を検出することが出来る。
【００１９】
画像処理装置１７は、視聴者情報として、筐体１に内蔵されたカメラ６が撮影した映像から、視聴者７がノイズ抑制範囲１０に居るか否かを判別し、ノイズ抑制範囲内１０に居る視聴者７がテレビを視聴しているか否か（顔が画面に向いているか否か等）を判別する。さらに、テレビジョン装置と視聴者７の距離も計測する。
【００２０】
すなわち、画像処理装置１７は、視聴者状況として、予め定められたノイズ抑制範囲１０内の視聴者７の有無と、視聴者７と装置との距離と、視聴者７が視聴しているか否かを検出する。これにより、視聴者７が視聴しているときにのみノイズ抑制制御を行う事が出来る。又、視聴者７との距離に加えノイズの到来方向を取得すれば、視聴者の耳元のノイズ状況を把握することが出来る。
【００２１】
ＣＰＵ１５は、ノイズ検出装置１６のノイズ情報と画像処理装置１７の視聴者情報を基に、周辺ノイズ９を抑制する必要があるか否かを決定する。抑制する場合は、音声処理装置１４からの放送音声信号に周辺ノイズの抑制音を重畳する。
【００２２】
具体的には、ＣＰＵ１５は、画像処理装置１７の信号から、視聴者７がノイズ抑制範囲１０でテレビを視聴していることを確認する。また、テレビと視聴者７との距離も取得する。
【００２３】
次いで、ＣＰＵ１５は、ノイズ検出装置１６からノイズ情報として、周辺ノイズ９の時間波形、周波数波形、レベル、到来方向を得る。ノイズレベルが規定値Ｎ１以上の場合は、周辺ノイズ９の抑制制御を行う。すなわち、テレビと視聴者７の距離と、周辺ノイズ９の時間波形、周波数波形、到来方向の情報から、視聴者７が聞いているノイズ成分を推測し、視聴者７の耳元の周辺ノイズ９を抑制するための音（抑制音）を算出する。そして、音声処理装置１４の放送音声信号に抑制音を重畳する。ノイズの抑制音は、例えばノイズと逆位相の音である。視聴者７は放送音声と、これに重畳されたノイズの抑制音とをテレビの視聴音８として聞くため、周辺ノイズ９にさらされた視聴環境下でも放送音声を聞くことが出来る。
【００２４】
すなわち、実施の形態１のテレビジョン装置は、テレビジョン装置に設けられ、装置周辺の音を集音するマイク４，５と、マイク４，５が集音した音とテレビジョン装置から出力すべく装置内で処理される放送音声から、装置周辺のノイズ情報を検出するノイズ検出装置１６と、テレビジョン装置に設けられ、装置周辺を撮影するカメラ６と、カメラの映像から視聴者状況を検出する画像処理装置１７と、ノイズ情報と視聴者状況に基づいて、ノイズの抑制音を作成する制御手段（ＣＰＵ１５）と、ノイズの抑制音を放送音声に重畳させて出力するスピーカ２，３と、を備える。ノイズの抑制音によって周辺ノイズ９は相殺されるため、視聴者７は周辺ノイズ９にさらされても放送音声を聴くことが出来る。
【００２５】
また、実施の形態１のテレビジョン装置において、ノイズ検出装置１６は、マイク４，５で集音した音と放送音声の変化を学習する機能を備え、当該学習に基づき、ノイズ情報として、装置周辺のノイズの時間波形、周波数波形、レベル、到来方向を検出する。ノイズ情報を検出することにより、周辺ノイズ９の抑制音を作成することが出来る。
【００２６】
さらに、制御手段（ＣＰＵ１５）は、視聴者７がノイズ抑制範囲１０内で視聴しており、ノイズのレベルが第１の所定値Ｎ１以上である場合に、ノイズの抑制音を作成する。これにより、視聴者７が視聴しており、ノイズ抑制が必要な時にのみノイズ抑制制御を行う事が出来る。
【００２７】
視聴者７がテレビの視聴音８や周辺ノイズ９の変動に違和感を持たないようにするため、上述したノイズの抑制制御の判定条件となるノイズレベルの規定値Ｎ１は、放送音声信号の音量と連動して変化させても良い。例えば、テレビの音量が大きい場合には、音量が小さい場合よりもノイズレベルの閾値Ｎ１を大きくすることにより、小さいノイズレベルでは抑制制御を行わないようにする。
【００２８】
すなわち、ノイズレベルの第１の所定値Ｎ１は、スピーカ４，５から出力する放送音声の音量に応じて変化する。これにより、視聴者７に違和感を与えずに周辺ノイズ９を抑制することが出来る。
【００２９】
又、規定値Ｎ１よりも大きな規定値Ｎ２以上のノイズレベルの場合には上述のノイズ抑制制御に加えてテレビの音量を増加させることも出来る。
【００３０】
すなわち、制御手段（ＣＰＵ１５）は、ノイズレベルが第１の所定値Ｎ１より大きい第２の所定値Ｎ２以上である場合に、スピーカ２，３から出力する放送音声の音量を増加させ、ノイズの抑制音を作成する。これにより、視聴者７はより明確に放送音声を聴くことが出来る。
【００３１】
さらに、ノイズの抑制音や放送音声信号の音量制御を一気に行わず漸次的に行うことにより、視聴者７に違和感を与えないようにしても良い。なお、放送音声信号にノイズ抑制音を重畳してスピーカ２，３から出力することとしたが、放送音声信号とノイズ抑制音を分離して出力しても良い。
【００３２】
すなわち、制御手段（ＣＰＵ１５）は、ノイズの抑制音及び放送音声の音量制御を漸次的に行う。これにより、視聴者７に違和感を与えずに周辺ノイズ９を抑制することが出来る。
【００３３】
また、スピーカ２，３は、ノイズの抑制音を放送音声に重畳するのではなく、放送音声とノイズの抑制音を分離して出力する。このような方法によっても、周辺ノイズ９の抑制が可能である。
【００３４】
＜制御手順＞
次に、今まで説明したＣＰＵ１５が行うノイズ抑制制御の流れを、図４のフローチャートに沿って説明する。まず、リモコンや装置本体に備えられたキーなどの操作によってテレビが起動すると、ＣＰＵ１５は画像処理装置１７から視聴者状況の情報を取得する（ステップＳ１）。次いで、取得した視聴者状況の情報に基づき、視聴者７がノイズ抑制範囲１０に存在するか否かを判別する（ステップＳ２）。存在しなければ、引き続きステップＳ２でノイズ抑制範囲１０に視聴者７が存在するか否かを監視する。
【００３５】
ノイズ抑制範囲１０に視聴者７が存在すれば、視聴者７がテレビを視聴しているか否かを判断すると共に、視聴者７とテレビの距離を計測する（ステップＳ３）。視聴者７がテレビを視聴しているか否かは、例えば顔認識技術で視聴者７の顔の向きや表情を検出することにより判断する。テレビを視聴していないと判断すれば、ステップＳ２に戻ってノイズ抑制範囲１０に視聴者７が存在するか否かを監視する。
【００３６】
視聴者７がテレビを視聴していると判断すれば、周辺ノイズ９の検出を開始する（ステップＳ４）。すなわち、ノイズ検出装置１６からノイズ情報を取得する。ノイズレベルが規定値Ｎ１以上か否かを判断し（ステップＳ５）、規定値Ｎ１以下であれば、ステップＳ２に戻ってノイズ抑制範囲１０に視聴者７が存在するか否かを監視する。
【００３７】
規定値Ｎ１以上であれば、さらにノイズレベルが規定値Ｎ２以上であるか否かを判断する（ステップＳ６）。Ｎ２以下であれば、そのままノイズの抑制音を音声処理装置１４からの放送音声に重畳する（ステップＳ７）。しかし、Ｎ２以上であれば、ノイズが非常に大きいということで放送音声の音量を増加し（ステップＳ８）、その上でノイズの抑制音を重畳する（ステップＳ７）。ノイズの抑制音は、ステップＳ３で得たテレビと視聴者の距離情報や、ステップＳ４で得たノイズ情報（時間波形、周波数波形、レベル、到来方向）から視聴者７周辺のノイズ状況を推測し、これを抑制する音として算出する。
【００３８】
その後、放送音声とこれに重畳したノイズの抑制音がスピーカ２，３から出力される（ステップＳ９）。周辺ノイズ９は常に変動しているため、再びステップＳ２に戻って視聴者７の視聴状況やノイズ情報を確認し、周辺ノイズ９の抑制制御を繰り返す。
【００３９】
＜効果＞
実施の形態１のテレビジョン装置によれば、以下の効果を奏する。すなわち、実施の形態１のテレビジョン装置は、テレビジョン装置に設けられ、装置周辺の音を集音するマイク４，５と、マイク４，５が集音した音とテレビジョン装置から出力すべく装置内で処理される放送音声から、装置周辺のノイズ情報を検出するノイズ検出装置１６と、テレビジョン装置に設けられ、装置周辺を撮影するカメラ６と、カメラの映像から視聴者状況を検出する画像処理装置１７と、ノイズ情報と視聴者状況に基づいて、ノイズの抑制音を作成する制御手段（ＣＰＵ１５）と、ノイズの抑制音を放送音声に重畳させて出力するスピーカ２，３と、を備える。ノイズの抑制音によって周辺ノイズ９は相殺されるため、視聴者７は周辺ノイズ９にさらされても放送音声を聴くことが出来る。
【００４０】
又、テレビジョン装置においてマイクは離間して２個以上備えられ、ノイズ検出装置１６は、ノイズ情報として、装置周辺のノイズの到来方向を検出する。ノイズの到来方向を検出することにより視聴者７周辺のノイズ状況を把握し、効果的なノイズ制御が可能となる。
【００４１】
また、ノイズ検出装置１６は、マイク４，５で集音した音と放送音声の変化を学習する機能を備え、当該学習に基づき、ノイズ情報として、装置周辺のノイズの時間波形、周波数波形、レベル、到来方向を検出する。ノイズ情報を検出することにより、周辺ノイズ９の抑制音を作成することが出来る。
【００４２】
さらに、画像処理装置１７は、視聴者状況として、予め定められたノイズ抑制範囲１０内の視聴者７の有無と、視聴者７と装置との距離と、視聴者７が視聴しているか否かを検出する。これにより、視聴者７が視聴しているときにのみノイズ抑制制御を行う事が出来る。又、視聴者７との距離に加えノイズの到来方向を取得すれば、視聴者の耳元のノイズ状況を把握することが出来る。
【００４３】
又、制御手段（ＣＰＵ１５）は、視聴者７がノイズ抑制範囲１０内で視聴しており、ノイズのレベルが第１の所定値Ｎ１以上である場合に、ノイズの抑制音を作成する。これにより、視聴者７が視聴しており、ノイズ抑制が必要な時にのみノイズ抑制制御を行う事が出来る。
【００４４】
さらに、ノイズレベルの第１の所定値Ｎ１は、スピーカ４，５から出力する放送音声の音量に応じて変化する。これにより、視聴者７に違和感を与えずに周辺ノイズ９を抑制することが出来る。
【００４５】
又、制御手段（ＣＰＵ１５）は、ノイズレベルが第１の所定値Ｎ１より大きい第２の所定値Ｎ２以上である場合に、スピーカ２，３から出力する放送音声の音量を増加させ、ノイズの抑制音を作成する。これにより、視聴者７はより明確に放送音声を聴くことが出来る。
【００４６】
さらに、制御手段（ＣＰＵ１５）は、ノイズの抑制音及び放送音声の音量制御を漸次的に行う。これにより、視聴者７に違和感を与えずに周辺ノイズ９を抑制することが出来る。
【００４７】
あるいは、スピーカ２，３は、ノイズの抑制音を放送音声に重畳するのではなく、放送音声とノイズの抑制音を分離して出力する。このような方法によっても、周辺ノイズ９の抑制が可能である。
【符号の説明】
【００４８】
１  筐体、２，３  スピーカ、４，５  マイク、６  カメラ、７  視聴者、８  視聴音、９  周辺ノイズ、１０  ノイズ抑制制御範囲、１１  アンテナ、１２  チューナ、１３  復調装置、１４  音声処理装置、１５  ＣＰＵ、１６  ノイズ検出装置、１７  画像処理装置。
【図１】
2010268284.tif 000003
【図２】
2010268284.tif 000004
【図３】
2010268284.tif 000005
【図４】
2010268284.tif 000006